(57)【要約】      （修正有）【課題】携帯機器用保護カバー及びその放熱膜を提供する。【解決手段】携帯機器用保護カバー１０及びその放熱膜２であって、この携帯機器用保護カバー１０は、保護カバー体１及び放熱膜２を含み、保護カバー体１は内部に内壁面１１を有している。放熱膜２は内壁面１１に貼り付けられ、放熱膜２は内壁面１１から離れる方向に向かって順に積層された、プラスチック基層、均熱層及び吸熱層２３を含む。これにより、放熱膜２を保護カバー体１の内壁面１１に貼り付けて、携帯機器用保護カバー１０に優れた放熱効果を持たせる。【選択図】図２
0003234092.tif 000002
【実用新案登録請求の範囲】
【請求項１】
ポリエチレンテレフタレートによって構成されたプラスチック基層と、
グラファイト片、銅片、アルミニウム片、銀片又はグラフェン片によって構成された均熱層と、
パラフィン、ゴム及び吸熱粉末を混合して構成された吸熱層と、を含み、
前記均熱層は前記プラスチック基層と前記吸熱層との間に挟み込まれている、放熱膜。
【請求項２】
前記均熱層の厚さは０．０１５〜０．０３ｍｍの間であり、前記吸熱層の厚さは０．１５〜０．３ｍｍの間である、請求項１に記載の放熱膜。
【請求項３】
外側表層をさらに含み、前記外側表層は前記吸熱層の前記均熱層から離れた側の面に貼り付けられ、前記プラスチック基層と前記外側表層は前記均熱層と前記吸熱層の外部を完全に被覆しており、前記外側表層はポリエチレンテレフタレート又は布地層によって構成される、請求項１に記載の放熱膜。
【請求項４】
前記放熱膜の外周縁には、内方向に引っ込むようにノッチが設けられている、請求項１に記載の放熱膜。
【請求項５】
内部に内壁面を有する保護カバー体と、
前記内壁面に貼り付けられた、請求項１〜請求項４のいずれか１項に記載の放熱膜と、を含み、
前記放熱膜は、前記内壁面から離れる方向に向かって順に積層された、前記プラスチック基層、前記均熱層及び前記吸熱層を含む、携帯機器用保護カバー。
【請求項６】
前記保護カバー体にはレンズ用貫通孔が設けられており、前記放熱膜の外周縁には、前記レンズ用貫通孔に対応して配置されたノッチが内方向に引っ込むように設けられている、請求項５に記載の携帯機器用保護カバー。
【考案の詳細な説明】
【技術分野】
【０００１】
本考案は放熱用の膜構造に関し、特に携帯機器用保護カバー及びその放熱膜に関するものである。
【背景技術】
【０００２】
タブレット、携帯電話などの携帯機器は、現代人にとって欠かせないポータブルデバイスとなっており、使用者は携帯機器の外側を保護カバーで被覆してその保護能力を強化し、携帯機器がぶつかったり衝撃を受けたりした際、本体に摩損や破損が生じるのを低減できるようにすることが多い。
【０００３】
しかしながら、市場にはおびただしい種類の保護カバーがあるものの、保護カバーの材質が熱伝導効果を持たないものが多く、携帯機器の動作時に生成する熱量を保護カバーに伝達して放熱することができないために、携帯機器が熱くなりすぎてフリーズしたり損傷したりする可能性があった。
【０００４】
そこで、本考案者は改良を目標として、上述の従来技術について研究に専念し、且つ学理を応用して組み合わせ、上述の問題点を解決するために尽力した。
【考案の概要】
【考案が解決しようとする課題】
【０００５】
本考案は、携帯機器用保護カバー及びその放熱膜を提供するが、それは放熱膜を保護カバー体の内壁面に貼り付けることで、携帯機器用保護カバーに優れた放熱効果を持たせるというものである。
【課題を解決するための手段】
【０００６】
本考案の実施例中、本考案が提供する放熱膜は、ポリエチレンテレフタレートで構成されたプラスチック基層と、グラファイト片、銅片、アルミニウム片、銀片又はグラフェン片で構成された均熱層と、パラフィン、ゴム及び吸熱粉末を混合して構成された吸熱層と、を含み、均熱層はプラスチック基層と吸熱層との間に挟み込まれている。
【０００７】
本考案の実施例中、本考案が提供する携帯機器用保護カバーは、内部に内壁面を有する保護カバー体と、内壁面に貼り付けられた放熱膜と、を含み、放熱膜は、内壁面から離れる方向に向かって順に積層された、プラスチック基層、均熱層及び吸熱層を含む。
【考案の効果】
【０００８】
上述により、まず放熱膜を保護カバー体の内壁面に貼り付けてから、保護カバー体を携帯機器の外側に被せて設けると、吸熱層が携帯機器に熱的に貼り付き、これにより携帯機器から生成する熱量が均熱層に伝達され、均熱層がさらに熱量をプラスチック基層、保護カバー体へ均一に伝達して放熱させる。放熱膜を介して携帯機器の動作時に生成する熱量を保護カバー体に伝達して放熱せしめることにより、携帯機器用保護カバーに優れた放熱効果を持たせることが達成される。
【図面の簡単な説明】
【０００９】
【図１】本考案の放熱膜の組立断面図である。
【図２】本考案の携帯機器用保護カバーの平面概略図である。
【図３】本考案の携帯機器用保護カバーの使用状態の断面図である。
【図４】本考案の放熱膜の別の実施例である組立断面図である。
【考案を実施するための形態】
【００１０】
以下、本考案の詳細な説明及び技術内容について図に基づき説明するが、添付図面はもっぱら説明のために提供するものであり、本考案を制限するためのものではない。
【００１１】
（実施例１）
図１〜図３を参照して、本考案は、携帯機器用保護カバー及びその放熱膜を提供するが、この携帯機器用保護カバー１０は、保護カバー体１及び放熱膜２を主に含み、放熱膜２は、プラスチック基層２１、均熱層２２及び吸熱層２３を主に含む。
【００１２】
図２〜図３に示す通り、保護カバー体１は、タブレット、携帯電話などの携帯機器１００の外側に被せて、携帯機器１００の保護能力及び構造強度を強化するのに用いられる。
【００１３】
また、保護カバー体１は内部に内壁面１１を有し、且つ携帯機器１００のレンズ（図示しない）を露出させるレンズ用貫通孔１２が設けられている。
【００１４】
図１〜図３に示す通り、放熱膜２は内壁面１１に貼り付けられ、放熱膜２は、内壁面１１から離れる方向に向かって順に積層された、プラスチック基層２１、均熱層２２及び吸熱層２３を含む。つまり、均熱層２２はプラスチック基層２１と吸熱層２３との間に挟み込まれ、プラスチック基層２１は内壁面１１に貼り付けられ、吸熱層２３は携帯機器１００に貼り付けられる。
【００１５】
そのうち、プラスチック基層２１は、ポリエチレンテレフタレート（Ｐｏｌｙｅｔｈｙｌｅｎｅ  Ｔｅｒｅｐｈｔｈａｌａｔｅ，ＰＥＴ）で構成されており、均熱層２２は、グラファイト片、銅片、アルミニウム片、銀片又はグラフェン片で構成されており、吸熱層２３は、パラフィン、ゴム及び吸熱粉末を混合して構成されており、均熱層２２の厚さは０．０１５〜０．０３ｍｍの間であり、吸熱層２３の厚さは０．１５〜０．３ｍｍの間である。
【００１６】
また、放熱膜２の外周縁には、レンズ用貫通孔１２に対応して配置されたノッチ２４が内方向に引っ込むように設けられており、放熱膜２が携帯機器１００のレンズ（図示しない）を遮らないようにしている。
【００１７】
さらに、本実施例の均熱層２２は、貼付方式によってプラスチック基層２１に貼り付けられ、吸熱層２３は、貼付方式によって均熱層２２に貼り付けられ、プラスチック基層２１も貼付方式によって内壁面１１に貼り付けられている。また、携帯機器用保護カバー１０の美観性を向上させるために、プラスチック基層２１の均熱層２２から離れた側の面にパターン層を被覆することができる。
【００１８】
図３で本考案の携帯機器用保護カバー１０及び放熱膜２の使用状態を示した通り、まず放熱膜２を保護カバー体１の内壁面１１に貼り付けてから、保護カバー体１を携帯機器１００の外側に被せて設けると、吸熱層２３が携帯機器１００に熱的に貼り付き、これにより携帯機器１００から生成する熱量が均熱層２２に伝達され、均熱層２２がさらに熱量をプラスチック基層２１、保護カバー体１へ均一に伝達して放熱させる。放熱膜２を介して携帯機器１００の動作時に生成する熱量を保護カバー体１に伝達して放熱せしめることにより、携帯機器用保護カバー１０に優れた放熱効果を持たせることが達成される。
【００１９】
(実施例２)
本考案の放熱膜２の別の実施例については、図４を参照されたい。図４の実施例は図１〜図３の実施例と概ね同じであるが、図４の実施例と図１〜図３の実施例との異なる点は、放熱膜２が外側表層２５をさらに含むことである。
【００２０】
具体的に説明すると、外側表層２５は吸熱層２３の均熱層２２から離れた側の面に貼り付けられている。即ち、プラスチック基層２１と外側表層２５は均熱層２２と吸熱層２３の向かい合う両面に共に貼り付けられ、且つプラスチック基層２１と外側表層２５が均熱層２２と吸熱層２３の外部を完全に被覆しており、外側表層２５はポリエチレンテレフタレート又は布地層によって構成されている。これにより、図１〜図３の実施例と同じ機能及び効果が達成される。
【００２１】
さらに、本実施例は、まず均熱層２２と吸熱層２３が貼付方式によって互いに貼り付けられ、次にプラスチック基層２１と外側表層２５が貼付方式によって均熱層２２と吸熱層２３の向かい合う両面に共に貼り付けられ、さらにプラスチック基層２１が貼付方式によって内壁面１１に貼り付けられている。また、携帯機器用保護カバー１０の美観性を向上させるために、プラスチック基層２１の均熱層２２から離れた側の面にパターン層を被覆することができ、外側表層２５にも、保護カバー体１の内側で露出する側の面にパターン層を被覆することができる。
【００２２】
本考案の携帯機器用保護カバー及びその放熱膜は、想定した使用目的を達成し、従来における欠点を解決することができ、産業上の利用性、新規性及び進歩性を有している。
【符号の説明】
【００２３】
１０  携帯機器用保護カバー
１  保護カバー体
１１  内壁面
１２  レンズ用貫通孔
２  放熱膜
２１  プラスチック基層
２２  均熱層
２３  吸熱層
２４  ノッチ
２５  外側表層
１００  携帯機器
【図１】
0003234092.tif 000003
【図２】
0003234092.tif 000004
【図３】
0003234092.tif 000005
【図４】
0003234092.tif 000006